(57)【要約】【課題】フィン触媒の加熱効率を向上させ、触媒ヒーターの発熱量が小さくてもフィン触媒表面の温度を高温に保つことができ、小型で高効率の脱臭装置を提供する。【解決手段】排気ガスの吸気口２３と排気口２４を有するケース２２と、ケース２２内に収容したフィン触媒２９と、フィン触媒２９の中央部に配置した触媒ヒーター２５と、ケース２２を密閉するフタ３０とを備え、フィン触媒２９は、金属帯状板よりなる渦巻き板２６と、排気ガス通路２６ａに排気ガスを蛇行させるように装備した仕切り体２７と、排気ガス通路２６ａ内において渦巻き板２６と並行して装備した金属板２８とを有し、これら構成部材はその表面に触媒を担持したものである。これによって、フィン触媒２９の構成から加熱効率が向上し、触媒ヒーター２５の発熱量が小さくてもフィン触媒２９表面の温度を高温に保つことができ、小型で高効率の脱臭装置となる。【選択図】図１
2007203201.tif 000002
【特許請求の範囲】
【請求項１】
排気ガスの吸気口と排気口を有する筒状のケースと、このケース内に収容したフィン触媒と、フィン触媒の中央部に配置した触媒ヒーターと、ケースの開口部を密閉するフタとを備え、前記フィン触媒は、金属帯状板を渦巻き状に形成した渦巻き板と、この渦巻き板により形成される渦巻き状の排気ガス通路に排気ガスを蛇行させるように縦方向に装備した仕切り体と、排気ガス通路内において渦巻き板と並行して装備した金属板とを有し、これら構成部材はその表面に触媒を担持した脱臭装置。
【請求項２】
渦巻き板と並行して装備した金属板は、並行した複数枚の金属板より構成した請求項１に記載の脱臭装置。
【請求項３】
渦巻き板と並行して装備した金属板には、排気ガスの流れを乱す複数の部材を設けた請求項１または２に記載の脱臭装置。
【請求項４】
渦巻き板と並行して装備した金属板は、一枚の金属板を折り曲げて並行した複数枚の金属板とした請求項２または３に記載の脱臭装置。
【請求項５】
金属帯状板を渦巻き状に形成した渦巻き板は、少なくともその一部を波形状とした請求項１〜４のいずれか１項に記載の脱臭装置。
【請求項６】
請求項１〜５のいずれか１項に記載の脱臭装置を備えた生ごみ処理機。
【発明の詳細な説明】
【技術分野】
【０００１】
本発明は、排気ガスからの臭気を脱臭処理する脱臭装置およびそれを用いた生ごみ処理機に関するものである。
【背景技術】
【０００２】
従来の脱臭装置、特に、生ごみ処理機に用いられる脱臭装置としては、触媒ヒーターを挿入した金属パイプに金属薄板を螺旋状に形成した触媒担持のフィンを装備し、これらをフィンの外側に金属薄板と断熱材を巻いた状態でケースに設置するようにしたものが知られている（例えば、特許文献１参照）。
【特許文献１】特許第３３３４４６２号公報
【発明の開示】
【発明が解決しようとする課題】
【０００３】
しかしながら、前記従来の構成では、螺旋状のフィンを触媒ヒーターで加熱しているため、フィンの入口側と出口側で温度差が大きくなり、また、フィンの表面積を確保するためにはフィンの螺旋形状を多くしなければならず、さらに、高温に保つためには触媒ヒーターの発熱量を大きくしなければならず、脱臭装置の形状が長くなるものであった。そのため、加熱効率が悪く、脱臭装置の断熱も十分にしなければならないという課題を有していた。
【０００４】
本発明は、前記従来の課題を解決するもので、フィン触媒の加熱効率を向上させ、触媒ヒーターの発熱量が小さくてもフィン触媒表面の温度を高温に保つことができ、小型で高効率の脱臭装置およびそれを用いた生ごみ処理機を提供することを目的とするものである。
【課題を解決するための手段】
【０００５】
前記従来の課題を解決するために、本発明の脱臭装置は、排気ガスの吸気口と排気口を有する筒状のケースと、このケース内に収容したフィン触媒と、フィン触媒の中央部に配置した触媒ヒーターと、ケースの開口部を密閉するフタとを備え、前記フィン触媒は、金属帯状板を渦巻き状に形成した渦巻き板と、この渦巻き板により形成される渦巻き状の排気ガス通路に排気ガスを蛇行させるように縦方向に装備した仕切り体と、排気ガス通路内において渦巻き板と並行して装備した金属板とを有し、これら構成部材はその表面に触媒を担持したものである。
【０００６】
これによって、フィン触媒の構成から加熱効率が向上し、触媒ヒーターの発熱量が小さくてもフィン触媒表面の温度を高温に保つことができ、小型で高効率の脱臭装置となるものである。
【０００７】
また、本発明の生ごみ処理機は、前記脱臭装置を装備したものであり、小型で家庭用に最適な生ごみ処理機となる。
【発明の効果】
【０００８】
本発明の脱臭装置は、フィン触媒の構成から加熱効率が向上し、触媒ヒーターの発熱量が小さくてもフィン触媒表面の温度を高温に保つことができ、小型で高効率の脱臭装置となるものである。
【０００９】
また、本発明の生ごみ処理機は、小型で家庭用に最適な生ごみ処理機となる。
【発明を実施するための最良の形態】
【００１０】
第１の発明は、排気ガスの吸気口と排気口を有する筒状のケースと、このケース内に収容したフィン触媒と、フィン触媒の中央部に配置した触媒ヒーターと、ケースの開口部を密閉するフタとを備え、前記フィン触媒は、金属帯状板を渦巻き状に形成した渦巻き板と、この渦巻き板により形成される渦巻き状の排気ガス通路に排気ガスを蛇行させるように縦方向に装備した仕切り体と、排気ガス通路内において渦巻き板と並行して装備した金属板とを有し、これら構成部材はその表面に触媒を担持した脱臭装置とすることにより、フィン触媒の構成から加熱効率が向上し、触媒ヒーターの発熱量が小さくてもフィン触媒表面の温度を高温に保つことができ、小型で高効率の脱臭装置となるものである。
【００１１】
第２の発明は、特に、第１の発明において、渦巻き板と並行して装備した金属板は、並行した複数枚の金属板より構成したことにより、触媒フィンの表面積を広くして、フィン触媒の浄化性能が向上する。
【００１２】
第３の発明は、特に、第１または第２の発明において、渦巻き板と並行して装備した金属板には、排気ガスの流れを乱す複数の部材を設けたことにより、複数の部材が排気ガス通路を流れる排ガスの流れを乱して排ガスとフィン触媒との接触を良くするので、フィン触媒の浄化性能が向上する。
【００１３】
第４の発明は、特に、第２または第３の発明において、渦巻き板と並行して装備した金属板は、一枚の金属板を折り曲げて並行した複数枚の金属板としたことにより、複数枚の金属板の構成が簡単で扱いやすく、しかも触媒フィンの表面積を広くして、フィン触媒の浄化性能が向上する。
【００１４】
第５の発明は、特に、第１〜第４のいずれか１つの発明において、金属帯状板を渦巻き状に形成した渦巻き板は、少なくともその一部を波形状としたことにより、波形状の箇所はフィン触媒の表面積が拡大し、同時に排気ガスの流れを乱して排気ガスとフィン触媒との接触を良くしてフィン触媒の浄化性能が向上する。
【００１５】
第６の発明は、特に、第１〜第５のいずれか１つの発明における脱臭装置を備えた生ごみ処理装置とすることにより、小型で家庭用に最適な生ごみ処理機となる。
【００１６】
以下、本発明の実施の形態について、図面を参照しながら説明する。なお、この実施の形態によって本発明が限定されるものではない。
【００１７】
（実施の形態）
図は、本発明の実施の形態における脱臭装置を示すものである。
【００１８】
図１、図２に示すように、本実施の形態における脱臭装置は、排気ガスの吸気口２３と排気口２４を有する筒状のケース２２と、このケース２２内に収容したフィン触媒２９と、フィン触媒２９の中央部に配置した触媒ヒーター２５と、ケース２２の開口部を密閉するフタ３０とを備えている。そして、前記フィン触媒２９は、金属帯状板を渦巻き状に形成した渦巻き板２６と、この渦巻き板２６により形成される渦巻き状の排気ガス通路２６ａに排気ガスを蛇行させるように縦方向に装備した仕切り体２７と、排気ガス通路２６ａ内において渦巻き板２６と並行して装備した金属板２８とを有し、これら構成部材２６〜２８はその表面に触媒を担持したものである。
【００１９】
前記ケース２２は、図に示すように、楕円、矩形などの扁平な筒状をしているが、特に、これに限られるものではない。また、フィン触媒２９を構成する渦巻き板２６は、ケース２２の形状と同様な形で渦巻き状に形成されている。また、仕切り体２７は、その詳細は後述するが、渦巻き板２６の上下両端部から交互に位置するように複数個設けられている。また、金属板２８は並行した複数枚の金属板より構成され、排気ガス通路２６ａ内の複数箇所に装備されている。
【００２０】
次に、仕切り体２７と金属板２８との構成例を図３に基づき説明する。
【００２１】
これは、略箱状をした部材３３の両側をコ字状に折り曲げて仕切り体２７を上下両端部から縦方向に交互に形成し、この仕切り体２７内に位置するように金属板２８を装備している。また、仕切り体２７は、排気ガス通路２６ａを形成する側の端部に折り返し部２７ａを形成している。また、金属板２８は、一枚の金属板を折り曲げて並行した複数枚の金属板としており、折り曲げ部には複数の接続部２８ａを、端面には複数の爪部２８ｂをそれぞれ形成している。そして、金属板２８を仕切り体２７内に挿入すると、爪部２８ｂの弾性により金属板２８は仕切り体２７と一体に固定され、両者は一体物として扱えるものである。
【００２２】
なお、一体物となった仕切り体２７と金属板２８とは、図２に示すように、排気ガス通路２６ａの複数箇所に組み込まれるものである。また、図２では、一体物となった仕切り体２７と金属板２８とは別に、金属板２８のみを爪部２８ｂの弾性を利用して排気ガス通路２６ａの２箇所の曲線部に装備している構成例を示している。
【００２３】
ここで、前記した折り返し部２７ａ、接続部２８ａおよび爪部２８ｂの各部材は、図３の矢印に示すような排気ガスの流れに対して、排気ガスの流れを乱し、排気ガスとフィン触媒２９との接触を良くしてフィン触媒の浄化性能を向上させる役割を果たしている。
【００２４】
次に、脱臭装置の組立てについて説明する。
【００２５】
組立ては、図１に示すように、渦巻き板２６、仕切り体２７、金属板２８を組み込んだフィン触媒２９の両端に当て板３１を当て、当て板３１の外側にシート状の断熱材３２を置いてフィン触媒２９をケース２２に挿入する。このとき、渦巻き板２６は仕切り体２７部でケース２２内側面に押し付けられた状態になる。同時にフィン触媒２９を構成する渦巻き板２６、仕切り体２７、金属板２８はケース２２内で一体化される。そして、フィン触媒２９の中央部に触媒ヒーター２５を挿入しフタ３０をケース２２に固定することにより、ケース２２の底面とフタ３０の下面でシート状の断熱材３２を圧接しフィン触媒２９のシール性を確保し、組立てが完了する。なお、ケース２２の周囲は、図２に示すように、断熱材３５が巻かれているものである。
【００２６】
ここで、図示していないが、ケース２２の吸気口２３を生ごみ処理装置の処理容器と接続することにより、排気ガスは、図２、図３の矢印に示すように、排気ガス通路２６ａを流れる。その際、排気ガスは、排気ガス通路２６ａの仕切り体２７、金属板２８の作用により蛇行し排気ガスが通過する距離を長くするととともに、排気ガスの流れを乱す各部材２７ａ、２８ａ、２８ｂの作用により、排気ガスとフィン触媒２９との接触する機会が増してフィン触媒２９の浄化性能を向上させることとなる。なお、フィン触媒２９は触媒ヒーター２５により温度上昇しているものである。
【００２７】
このように、本実施の形態では、フィン触媒２９の構成を考慮したことにより、加熱効率が向上し、触媒ヒーター２５の発熱量が小さくてもフィン触媒２９表面の温度を高温に保つことができ、小型で高効率の脱臭装置となるものである。また、この脱臭装置を装備した生ごみ処理機は、小型で家庭用に最適な生ごみ処理機となる。
【００２８】
なお、本実施の形態では、仕切り体２７は略箱状をした部材３３の両側をコ字状に折り曲げて形成したが、略箱状をした部材３３を用いるのではなく、仕切り体２７単体であってもよく、その形状も種々のものが考えられ、図に示した形状、構成に限られるものではない。また、渦巻き板２６と並行して装備した金属板２８は、並行した複数枚の金属板より構成して触媒フィン２９の表面積を広くして、フィン触媒２９の浄化性能の向上を図っているが、必要に応じてその枚数を決めることができるものであり、１枚であってもよく、また２枚以上であってもよい。
【００２９】
さらに、図４に示すように、金属帯状板を渦巻き状に形成した渦巻き板２６は、少なくともその一部を波形状２６ｂとしたことにより、この波形状２６ｂの箇所はフィン触媒２９の表面積が拡大し、同時に排気ガスの流れを乱して排気ガスとフィン触媒２９との接触を良くしてフィン触媒の浄化性能が向上する。図では、波形状２６ｂを渦巻き板２６の曲線部の２箇所に形成したが、必要に応じてその形成箇所を決めることができるものであり、１箇所または全体に形成してもよい。
【産業上の利用可能性】
【００３０】
以上のように、本発明にかかる脱臭装置は、フィン触媒の構成から加熱効率が向上し、触媒ヒーターの発熱量が小さくてもフィン触媒表面の温度を高温に保つことができ、小型で高効率となるので、各種装置における脱臭装置に適用できる。また、本発明にかかる生ごみ処理機は、小型であるので、家庭用に最適なものであるが、業務用生ごみ処理機としても適用できる。
【図面の簡単な説明】
【００３１】
【図１】本発明の実施の形態における脱臭装置の分解斜視図
【図２】同脱臭装置の平断面図
【図３】同脱臭装置の要部の斜視図
【図４】同脱臭装置の別構成を示す平断面図
【符号の説明】
【００３２】
２２  ケース
２３  吸気口
２４  排気口
２５  触媒ヒーター
２６  渦巻き板
２６ａ  排気ガス通路
２７  仕切り体
２７ａ  折り返し部
２８  金属板
２８ａ  接続部
２８ｂ  爪部
２９  フィン触媒
３０  フタ
【図１】
2007203201.tif 000003
【図２】
2007203201.tif 000004
【図３】
2007203201.tif 000005
【図４】
2007203201.tif 000006